(57)【要約】
【課題】着脱が容易であるとともに、良好な締め付け状態を維持し、しかも、手を手甲部方向に曲げた場合であっても装着感が低下することのない手袋を提供する。
【解決手段】手甲部１４の裾部３０には、小指部３２、薬指部３３間に向かって、傾斜する第１裾部３４ａ及び第２裾部３４ｂが形成されるとともに、スリット３８が形成される。スリット３８の小指部３２側の縁部には、手甲部１４側に設けられた面ファスナー４０と係着する面ファスナー４２を有する脱落防止用のバンド部材４４が縫合される。
【選択図】図１
0003100494.tif 000002
【実用新案登録請求の範囲】
【請求項１】
　手甲部側に形成され、小指部、薬指部間に向かって延在するスリットと、
　前記スリットの縁部のうち、前記小指部側に装着されるバンド部材と、
　前記バンド部材に配設される第１固定具と、
　前記手甲部に配設され、前記第１固定具が係合する第２固定具と、
　手挿入口の前記小指部側から前記小指部、前記薬指部間に向かって切り込まれて前記スリットに連通する第１裾部と、
　前記手挿入口の親指部側から前記小指部、前記薬指部間に向かって切り込まれて前記スリットに連通する第２裾部と、
　を備えることを特徴とする手袋。
【請求項２】
　請求項１記載の手袋において、
　前記第１固定具及び前記第２固定具は、前記スリット側から徐々に狭小となる略三角形状に形成されることを特徴とする手袋。
【請求項３】
　請求項１又は２記載の手袋において、
　前記第１固定具及び前記第２固定具は、面ファスナーであることを特徴とする手袋。
【考案の詳細な説明】
【技術分野】
【０００１】
　本考案は、例えば、ゴルフ、野球、テニス、サイクリング等のスポーツに使用されて好適な手袋に関する。
【背景技術】
【０００２】
　例えば、ゴルフ、野球等のスポーツに使用される手袋として、特許文献１に開示された手袋を挙げることができる。図３に示すように、手袋の手甲部１の小指部側には、手挿入口２から小指部側に延びるスリット３が設けられ、スリット３の一方の縁部には、裏面部に面ファスナー４が取り付けられた脱落防止用のバンド部材５が縫合されている。また、手甲部１には、面ファスナー４と係着する面ファスナー６が取り付けられている。
【０００３】
　この手袋は、スリット３を開くことにより手挿入口２を広げることができるため、手を容易に挿入することができる。また、一方の面ファスナー４の他方の面ファスナー６に対する係着位置を調整することにより、手挿入口２付近で所望の締め付け具合を得ることができるという利点を有する。
【０００４】
【特許文献１】実公平２−４７９８５号公報
【考案の開示】
【考案が解決しようとする課題】
【０００５】
　しかしながら、前記手袋は、図３に示すように、手挿入口２が直線状に形成されているため、この手袋を装着した使用者が手首を手甲部１側に曲げた場合、図４に示すように、手挿入口２が手首７、特に、手挿入口２と小指側にある突起部８を圧迫してしまう。この場合、手袋の位置がずれてしまったり、装着感が低下する等の問題が生じる。
【０００６】
　本考案は、前記の不具合を解決するためになされたものであり、着脱が容易であるとともに、良好な締め付け状態を維持し、しかも、手を手甲部方向に曲げた場合であっても装着感が低下することのない手袋を提供することを目的とする。
【課題を解決するための手段】
【０００７】
　前記の課題を解決するために、本考案に係る手袋は、手甲部側に形成され、小指部、薬指部間に向かって延在するスリットと、
　前記スリットの縁部のうち、前記小指部側に装着されるバンド部材と、
　前記バンド部材に配設される第１固定具と、
　前記手甲部に配設され、前記第１固定具が係合する第２固定具と、
　手挿入口の前記小指部側から前記小指部、前記薬指部間に向かって切り込まれて前記スリットに連通する第１裾部と、
　前記手挿入口の親指部側から前記小指部、前記薬指部間に向かって切り込まれて前記スリットに連通する第２裾部と、
　を備えることを特徴とする。
【０００８】
　本考案によれば、スリットを離間させて手を手袋に挿入した後、バンド部材に配設された第１固定具を手甲部に配設された第２固定具に係合させることにより、手袋が脱落しない状態で手に装着することができる。この場合、第１裾部及び第２裾部は、手挿入口からスリットに向かって徐々に切り込まれた状態となっているため、手首を手甲部側に曲げた際、第１裾部及び第２裾部が手首を圧迫することがなく、良好な装着感を得ることができる。また、第１固定具が第２固定具より剥がれてしまうおそれもない。
【考案の効果】
【０００９】
　以上のように、本考案の手袋によれば、着脱が容易であるとともに、良好な締め付け状態を維持することができ、また、手を手甲部側に曲げた場合であっても装着感が低下するおそれがない。
【考案を実施するための最良の形態】
【００１０】
　図１は、本実施の形態に係る手袋１０を手甲部側から見た図である。この手袋１０は、例えば、ゴルフ、野球、テニス、サイクリング等のスポーツに使用して好適なものであって、基本的には、親指以外の４本の指部を有する手平部１２（図２参照）及び手甲部１４と、親指部１６とから構成される。手平部１２と手甲部１４とは、第１縫目１８で縫合され、手平部１２及び手甲部１４と、親指部１６とは、第２縫目２０で縫合されて一体化される。なお、手平部１２及び手甲部１４の裾部（指部側と反対側の端部）は縫合されておらず、その縫合されていない部分が手挿入口２２を構成する。
【００１１】
　手甲部１４の裾部３０は、図１に示すように、小指部３２側の外縁部から小指部３２、薬指部３３間に向かって徐々に切り込まれる第１裾部３４ａと、親指部１６側の外縁部から小指部３２、薬指部３３間に向かって徐々に切り込まれる第２裾部３４ｂとからなる。また、第１裾部３４ａ及び第２裾部３４ｂが最も近接する部位から小指部３２、薬指部３３間に向かって、スリット３８が形成される。
【００１２】
　手甲部１４には、スリット３８の薬指部３３側の縁部から親指部１６に向かって徐々に狭小となる略三角形状の面ファスナー４０（第２固定具）が縫合される。また、スリット３８の小指部３２側の縁部には、面ファスナー４０に対応した形状からなり、スリット３８から離間するに従って徐々に狭小となる略三角形状のバンド部材４４の端部が縫合される。このバンド部材４４には、面ファスナー４０に係着自在な面ファスナー４２（第１固定具）が装着されている。
【００１３】
　本実施の形態の手袋１０は、基本的には以上のように構成されるものであり、次に、その作用効果について説明する。
【００１４】
　本実施の形態の手袋１０を装着する場合、図１に示すように、面ファスナー４２を面ファスナー４０から離脱させた状態において、手挿入口２２から手を挿入する。このとき、裾部３０には、スリット３８が形成されているため、第１裾部３４ａ及び第２裾部３４ｂを離間させることで、手を容易に挿入することができる。
【００１５】
　手を手袋１０に挿入した後、バンド部材４４に装着されている面ファスナー４２を面ファスナー４０に係着させる（図２参照）。この場合、第１裾部３４ａ及び第２裾部３４ｂが面ファスナー４０及び４２によって連結されるため、手袋１０の脱落が好適に阻止される。なお、面ファスナー４２の面ファスナー４０に対する係着位置を調整することにより、最適な装着状態を得ることができる。
【００１６】
　以上のようにして手袋１０を装着した後、所望のスポーツ等を行う。この際、手袋１０の裾部３０を構成する第１裾部３４ａ及び第２裾部３４ｂは、小指部３２、薬指部３３間に向かって切り込まれているため、手を手甲部１４の方向に曲げた場合であっても、裾部３０が手首を圧迫することがなく、手袋１０の位置ずれや圧迫による装着不良が惹起されることがない。特に、小指部３２寄りの位置に形成されたスリット３８に向かって第１裾部３４ａが切り込まれているため、第１裾部３４ａが手首７の突起部８を圧迫することがない。従って、一層良好な装着感が得られる。
【００１７】
　しかも、本実施の形態の手袋１０は、脱落防止用のバンド部材４４を第１裾部３４ａ、第２裾部３４ｂから離間したスリット３８に配設しているため、手首７にバンド部材４４が接触することがなく、装着感も良好である。
【図面の簡単な説明】
【００１８】
【図１】本実施の形態に係る手袋を手甲部側から見た図である。
【図２】本実施の形態に係る手袋の装着状態を示す図である。
【図３】従来の手袋を手甲部側から見た図である。
【図４】従来の手袋の装着状態を示す図である。
【符号の説明】
【００１９】
１０…手袋　　　　　　　　　　１２…手平部
１４…手甲部　　　　　　　　　３０…裾部
３４ａ…第１裾部　　　　　　　３４ｂ…第２裾部
３８…スリット　　　　　　　　４０、４２…面ファスナー
４４…バンド部材
【図１】
0003100494.tif 000003
【図２】
0003100494.tif 000004
【図３】
0003100494.tif 000005
【図４】
0003100494.tif 000006